(57)【要約】【課題】適切に画像処理を実行する。【解決手段】画像処理装置３０は、画像データを記憶する記憶部４０へのアクセス量を計測するアクセス量計測部７０と、アクセス量計測部７０によって計測されたアクセス量に応じて、記憶部４０に記憶させる画像データの圧縮率を決定する圧縮率決定部９０と、圧縮率決定部９０で決定された圧縮率で画像データを圧縮する圧縮部６０とを備える。【選択図】図１
2014165791.tif 000002
【特許請求の範囲】
【請求項１】
画像データを記憶する記憶部へのアクセス量を計測する計測部と、
前記計測部によって計測された前記アクセス量に応じて、前記記憶部に記憶させる前記画像データの圧縮率を決定する決定部と、
前記決定部で決定された圧縮率で前記画像データを圧縮する圧縮部と
を備えることを特徴とする画像処理装置。
【請求項２】
前記決定部は、
前記アクセス量が予め定められた閾値以上の場合に、前記圧縮率を第１の圧縮率に決定し、
前記アクセス量が前記閾値未満の場合に、前記圧縮率を前記第１の圧縮率より低い第２の圧縮率に決定する
ことを特徴とする請求項１に記載の画像処理装置。
【請求項３】
前記決定部は、
前記計測部によって計測された所定の回数分の前記アクセス量と前記閾値とに基づいて、前記圧縮率を決定する
ことを特徴とする請求項２に記載の画像処理装置。
【請求項４】
前記決定部は、
前記アクセス量が前記所定の回数連続して前記閾値未満の場合に、前記圧縮率を前記第２の圧縮率に決定する
ことを特徴とする請求項３に記載の画像処理装置。
【請求項５】
前記閾値は、互いに値の異なる複数の閾値を含み、
前記決定部は、
前記アクセス量と前記複数の閾値とに基づいて、前記圧縮率を決定する
ことを特徴とする請求項２から請求項４のいずれか一項に記載の画像処理装置。
【請求項６】
前記閾値は、第１閾値と、第１閾値よりも値が小さい第２閾値とを含み、
前記決定部は、
前記アクセス量が前記第１閾値以上の場合に、前記圧縮率を前記第１の圧縮率に決定し、
前記アクセス量が前記第２閾値未満の場合に、前記圧縮率を前記第２の圧縮率に決定する
ことを特徴とする請求項２から請求項５のいずれか一項に記載の画像処理装置。
【請求項７】
前記アクセス量を計測する計測期間を設定する設定部であって、前記計測部によって過去に測定された前記アクセス量に基づいて、前記計測期間を設定する設定部を備える
ことを特徴とする請求項１から請求項６のいずれか一項に記載の画像処理装置。
【請求項８】
前記計測部は、
範囲の異なる複数の期間に対して前記アクセス量を計測し、
前記設定部は、
前記複数の期間のうちの最も前記アクセス量が多い期間を、前記計測期間として設定する
ことを特徴とする請求項７に記載の画像処理装置。
【請求項９】
異なる画像処理を実行する複数の画像処理部を備え、
前記決定部は、
前記複数の画像処理部のそれぞれが処理する前記画像データの前記圧縮率を、前記アクセス量に応じて決定する
ことを特徴とする請求項１から請求項８のいずれか一項に記載の画像処理装置。
【請求項１０】
請求項１から請求項９のいずれか一項に記載の画像処理装置を備え、当該画像処理装置で画像処理がなされた画像データに基づいて画像を表示することを特徴とする表示装置。
【請求項１１】
画像データを記憶する記憶部へのアクセス量を計測する計測ステップと、
前記計測ステップによって計測された前記アクセス量に応じて、前記記憶部に記憶させる前記画像データの圧縮率を決定する決定ステップと、
前記決定ステップで決定された圧縮率で前記画像データを圧縮する圧縮ステップと
を含むことを特徴とする画像処理方法。
【発明の詳細な説明】
【技術分野】
【０００１】
本発明は、画像処理装置、表示装置、及び画像処理方法に関する。
【背景技術】
【０００２】
近年、プロジェクターなどの表示装置が備える画像処理装置において、画像データなどを記憶する記憶部へのアクセス量を低減するために、圧縮処理を行う技術が知られている（例えば、特許文献１を参照）。
例えば、特許文献１に記載の画像処理装置は、所定の画像処理（例えば、キーストーン補正処理）を行う場合に、画像データに対して圧縮を行い、圧縮した画像データを記憶部に記憶させる。
【先行技術文献】
【特許文献】
【０００３】
【特許文献１】特開２０１０−１８３３２８号公報
【発明の概要】
【発明が解決しようとする課題】
【０００４】
ところで、上述のような画像処理装置では、制御部や画像処理部から記憶部へのアクセス量や、記憶部自体のアクセス速度などを考慮して、画像データを圧縮する所定の圧縮率を予め定めている。
しかしながら、制御部や画像処理部から記憶部へのアクセス量は、例えば、画像処理装置の動作状態により変動するため、上述のような画像処理装置は、上述の予め定められた所定の圧縮率では、画像処理が間に合わずに、正常な画像データを出力することが困難な場合がある。また、例えば、十分なマージンを考慮して所定の圧縮率を定めた場合には、上述のような画像処理装置は、画質が低下することがある。
このように、上述のような画像処理装置は、適切に画像処理を実行することができない場合があった。
【０００５】
本発明は、上記問題を解決すべくなされたもので、その目的は、適切に画像処理を実行することができる画像処理装置、表示装置、及び画像処理方法を提供することにある。
【課題を解決するための手段】
【０００６】
上記問題を解決するために、本発明の一態様は、画像データを記憶する記憶部へのアクセス量を計測する計測部と、前記計測部によって計測された前記アクセス量に応じて、前記記憶部に記憶させる前記画像データの圧縮率を決定する決定部と、前記決定部で決定された圧縮率で前記画像データを圧縮する圧縮部とを備えることを特徴とする画像処理装置である。
上記構成によれば、計測部が計測した記憶部へのアクセス量に応じて、決定部が記憶部に記憶させる画像データの圧縮率を決定する。これにより、画像処理装置は、記憶部へのアクセス量に応じて適切な圧縮率に決定することができるので、記憶部へのアクセス量を適切に制御することができる。よって、画像処理装置は、適切に画像処理を実行することができる。
【０００７】
また、上記の画像処理装置の一態様において、前記決定部は、前記アクセス量が予め定められた閾値以上の場合に、前記圧縮率を第１の圧縮率に決定し、前記アクセス量が前記閾値未満の場合に、前記圧縮率を前記第１の圧縮率より低い第２の圧縮率に決定することを特徴とする。
上記構成によれば、画像処理装置は、記憶部へアクセス量が上昇した場合に、アクセス量を低減するように、第２の圧縮率よりも高い第１の圧縮率に決定することにより圧縮率を増加させる。そのため、画像処理装置は、例えば、キャッシュメモリーにおけるミスキャッシュが発生した場合などのように、記憶部へのアクセス量が増大した場合であっても、正常に画像処理を実行することができる。
また、画像処理装置は、記憶部へアクセス量が低下した場合に、画像データの画質を向上させるように、第１の圧縮率よりも低い第２の圧縮率に決定することにより圧縮率を減少させる。そのため、画像処理装置は、必要以上に画質を低下させることながく、適切な画質の画像データを得ることができる。
したがって、画像処理装置は、正常に、且つ適切な画質により画像処理を実行することができる。
【０００８】
また、上記の画像処理装置の一態様において、前記決定部は、前記計測部によって計測された所定の回数分の前記アクセス量と前記閾値とに基づいて、前記圧縮率を決定することを特徴とする。
上記構成によれば、画像処理装置は、所定の回数分のアクセス量に基づいて圧縮率を決定するので、圧縮率を変更する間隔を少なくとも所定の期間に設定することができる。そのため、画像処理装置は、例えば、閾値を挟んでアクセス量が変動することにより、一定周期で圧縮率が変化し、画質（明るさや色など）が周期的に変化するような異常な状態を低減することができる。
【０００９】
また、上記の画像処理装置の一態様において、前記決定部は、前記アクセス量が前記所定の回数連続して前記閾値未満の場合に、前記圧縮率を前記第２の圧縮率に決定することを特徴とする。
上記構成によれば、画像処理装置は、所定の期間、高い圧縮率を維持することができる。そのため、画像処理装置は、例えば、高い圧縮率に変更したことによりアクセス量が低下して、高い圧縮率に変更した直後に、すぐに低い圧縮率に変更されて再びアクセス量が増加するような現象を低減することができる。
【００１０】
また、上記の画像処理装置の一態様において、前記閾値は、互いに値の異なる複数の閾値を含み、前記決定部は、前記アクセス量と前記複数の閾値とに基づいて、前記圧縮率を決定することを特徴とする。
上記構成によれば、画像処理装置は、圧縮率の変化量を小さくして圧縮率を決定できるようになる。そのため、画像処理装置は、画面を見ている使用者が気付かないように、圧縮率が変更したことによる画質の変化（例えば、明るさ、色などの変化）を低減することができる。
【００１１】
また、上記の画像処理装置の一態様において、前記閾値は、第１閾値と、第１閾値よりも値が小さい第２閾値とを含み、前記決定部は、前記アクセス量が前記第１閾値以上の場合に、前記圧縮率を前記第１の圧縮率に決定し、前記アクセス量が前記第２閾値未満の場合に、前記圧縮率を前記第２の圧縮率に決定することを特徴とする。
上記構成によれば、画像処理装置は、異なる閾値により高い圧縮率への変更と低い圧縮率への変更とを制御する。これにより、画像処理装置は、例えば、閾値を挟んでアクセス量が変動することにより、一定周期で圧縮率が変化し、画質（明るさや色など）が周期的に変化するような異常な状態を低減することができる。
【００１２】
また、上記の画像処理装置の一態様において、前記アクセス量を計測する計測期間を設定する設定部であって、前記計測部によって過去に測定された前記アクセス量に基づいて、前記計測期間を設定する設定部を備えることを特徴とする。
上記構成によれば、画像処理装置は、圧縮率の決定の判定に用いるアクセス量を計測する計測期間を、過去に測定されたアクセス量に基づいて、適切に設定することができる。そのため、決定部は、アクセス量の変動を正確に検出するこができる。よって、画像処理装置は、アクセス量に応じて、適切に圧縮率を決定することができる。
【００１３】
また、上記の画像処理装置の一態様において、前記計測部は、範囲の異なる複数の期間に対して前記アクセス量を計測し、前記設定部は、前記複数の期間のうちの最も前記アクセス量が多い期間を、前記計測期間として設定することを特徴とする。
上記構成によれば、決定部は、最もアクセス量が多い計測期間に基づいてアクセス量を検出するので、アクセス量の増加を正確に検出するこができる。すなわち、例えば、局所的にアクセス量が増大したような場合であっても、決定部は、適切に圧縮率を決定することができる。
【００１４】
また、上記の画像処理装置の一態様において、異なる画像処理を実行する複数の画像処理部を備え、前記決定部は、前記複数の画像処理部のそれぞれが処理する前記画像データの前記圧縮率を、前記アクセス量に応じて決定することを特徴とする。
上記構成によれば、画像処理部ごとに適切に圧縮率を決定することができるので、画像処理装置は、正常に、且つ適切な画質により画像処理を実行することができる。
【００１５】
また、本発明の一態様は、上記の画像処理装置を備え、当該画像処理装置で画像処理がなされた画像データに基づいて画像を表示する表示装置である。
上記構成によれば、上記の一態様による画像処理装置と同様の作用効果を得ることができる。
【００１６】
また、本発明の一態様は、画像データを記憶する記憶部へのアクセス量を計測する計測ステップと、前記計測ステップによって計測された前記アクセス量に応じて、前記記憶部に記憶させる前記画像データの圧縮率を決定する決定ステップと、前記決定ステップで決定された圧縮率で前記画像データを圧縮する圧縮ステップとを含むことを特徴とする画像処理方法である。
上記構成によれば、上記の一態様による画像処理装置と同様の作用効果を得ることができる。
【図面の簡単な説明】
【００１７】
【図１】第１の実施形態による表示装置の一例を示すブロック図である。
【図２】本実施形態におけるアクセス量の計測期間の一例を示すタイムチャートである。
【図３】第１の実施形態における圧縮率決定の処理の一例を示すフローチャートである。
【図４】第２の実施形態における圧縮率決定の処理の一例を示すフローチャートである。
【図５】第３の実施形態における圧縮率決定の処理の一例を示すフローチャートである。
【図６】第４の実施形態による表示装置の一例を示すブロック図である。
【図７】第５の実施形態による表示装置の一例を示すブロック図である。
【発明を実施するための形態】
【００１８】
以下、本発明の一実施形態による表示装置及び画像処理装置について、図面を参照して説明する。
［第１の実施形態］
図１は、第１の実施形態による表示装置（プロジェクター装置１）の一例を示すブロック図である。
なお、本実施形態では、表示装置の一例として、プロジェクター装置１である場合について説明する。
【００１９】
図１において、プロジェクター装置１は、画像投写部１０、画像信号入力部２０、画像処理装置３０、記憶部４０、及び入力操作部５０を備えている。
【００２０】
画像信号入力部２０は、例えば、ＰＣ（パーソナルコンピューター）などの外部装置から入力された画像信号を受信し、受信した画像信号を画像処理装置３０に出力する。
【００２１】
画像処理装置３０は、画像信号入力部２０から出力された画像信号に基づいて、画像投写部１０に表示させるための画像データの各種の画像処理を実行する。なお、画像処理装置３０は、画像処理を実行する際に、記憶部４０に画像データを一時記憶させる。
画像処理装置３０の詳細な構成については、後述する。
【００２２】
記憶部４０は、例えば、ＤＲＡＭ（Dynamic Random Access Memory）などの記憶素子により構成され、画像処理装置３０で処理中の画像データを記憶する。
【００２３】
画像投写部１０（表示出力部）は、画像処理装置３０での画像処理後の画像データに基づいて、光源（不図示）から射出された光を液晶パネル等の光変調装置（不図示）で変調し、例えば、スクリーン（不図示）に投射（投写）する。
【００２４】
入力操作部５０は、使用者がプロジェクター装置１の各種操作を行うための、例えば、キースイッチなどの操作部である。
【００２５】
次に、画像処理装置３０の詳細な構成について説明する。
画像処理装置３０は、制御部３１、入力信号判定部３２、リサイズ処理部３３、ＯＳＤ（On Screen Display：オンスクリーンディスプレイ）処理部３４、キーストーン補正処理部３５、フレームレート変換処理部３６、オーバードライブ処理部３７、及びインターフェイス部３８を備えている。
【００２６】
なお、リサイズ処理部３３、ＯＳＤ処理部３４、キーストーン補正処理部３５、フレームレート変換処理部３６、及びオーバードライブ処理部３７のそれぞれは、異なる画像処理を実行する画像処理部に対応する。この複数の画像処理部は、それぞれ画像データを圧縮及び復号する圧縮部６０（圧縮部６１〜６５）を備え、圧縮部６０が後述する圧縮率決定部９０によって適切に決定された所定の圧縮率に基づいて画像データを圧縮し、圧縮した画像データにより、インターフェイス部３８を介して記憶部４０とのアクセスを行う。ここで、圧縮部６１〜６５は、同様の構成であるため、圧縮部６１〜６５のうちの任意の圧縮部、又は単に画像処理装置３０が備える圧縮部を示すなど特に区別しない場合には、圧縮部６０として説明する。
また、画像処理装置３０は、リサイズ処理部３３、ＯＳＤ処理部３４、キーストーン補正処理部３５、フレームレート変換処理部３６、及びオーバードライブ処理部３７の画像処理のうち、制御部３１の制御により指定された画像処理を実行する。そのため、画像処理装置３０は、これらの画像処理の一部しか実行しない場合もあるし、これらの画像処理を行わずに映像データをそのまま出力することも可能である。
【００２７】
制御部３１は、例えば、ＣＰＵ（Central Processing Unit）を含むプロセッサーなどであり、画像処理装置３０を統括的に制御する。制御部３１は、例えば、後述する入力信号判定部３２の判定結果及び入力操作部５０により入力された操作情報に基づいて、各種画像処理（リサイズ処理部３３、ＯＳＤ処理部３４、キーストーン補正処理部３５、フレームレート変換処理部３６、及びオーバードライブ処理部３７による画像処理）を制御する。また、制御部３１は、制御処理に用いる制御情報を後述するインターフェイス部３８を介して、不図示の記憶装置（例えば、フラッシュメモリー等のＲＯＭ）に記憶させる、及びこの記憶装置から読み出す。また、この記憶装置には、制御処理を実行する制御プログラムも記憶されており、制御部３１は、制御プログラムを、インターフェイス部３８を介して、記憶装置から読み出す。なお、制御部３１は、キャッシュメモリー（不図示）を備えており、記憶装置から読み出した制御プログラムをキャッシュメモリーに一時記憶させる。
【００２８】
入力信号判定部３２は、画像信号入力部２０を介してＰＣなどの外部装置から入力された画像信号が、画像処理可能な信号であるか否かを判定する。入力信号判定部３２は、判定結果を制御部３１に出力する。
【００２９】
リサイズ処理部３３は、画像信号入力部２０から出力された画像信号に基づく画像データの画像サイズを、制御部３１から供給される制御情報に基づいて変更する（リサイズする）画像処理（リサイズ処理）を実行する。リサイズ処理部３３は、このリサイズ処理を実行した後、画像データをＯＳＤ処理部３４に出力する。また、リサイズ処理部３３は、上述したように記憶部４０に一時記憶する画像データ（フレームごとの画像データ）を圧縮及び復号する圧縮部６１を備えている。
【００３０】
ＯＳＤ処理部３４は、リサイズ処理部３３から出力された画像データに、制御部３１から供給される制御情報に基づいてメニュー画面や各種設定画面などのオンスクリーンを重畳する画像処理（ＯＳＤ処理）を実行する。ＯＳＤ処理部３４は、このＯＳＤ処理を実行した後、画像データをキーストーン補正処理部３５に出力する。また、ＯＳＤ処理部３４は、上述したように記憶部４０に一時記憶する画像データ（フレームごとの画像データ）を圧縮及び復号する圧縮部６２を備えている。
【００３１】
キーストーン補正処理部３５は、ＯＳＤ処理部３４から出力された画像データに、制御部３１から供給される制御情報に基づいて、キーストーン補正（台形補正）を行う画像処理（キーストーン補正処理）を実行する。このキーストーン補正処理は、スクリーンとプロジェクター装置１の光軸との相対位置によりスクリーンに結像する画像の形状に歪みが生じる場合に、液晶パネルに描画する画像を変形させることで、スクリーンに正しい形状（長方形）の画像を結像させる処理である。キーストーン補正処理部３５は、このキーストーン補正処理を実行した後、画像データをフレームレート変換処理部３６に出力する。また、キーストーン補正処理部３５は、上述したように記憶部４０に一時記憶する画像データ（フレームごとの画像データ）を圧縮及び復号する圧縮部６３を備えている。
【００３２】
フレームレート変換処理部３６は、キーストーン補正処理部３５から出力された画像データに、制御部３１から供給される制御情報に基づいて、フレームレート変換を行う画像処理（フレームレート変換処理）を実行する。このフレームレート変換処理は、入力画像のフレームレートを、より高いフレームレート又は低いフレームレートに変換する処理である。フレームレート変換処理部３６は、このフレームレート変換処理を実行した後、画像データをオーバードライブ処理部３７に出力する。また、フレームレート変換処理部３６は、上述したように記憶部４０に一時記憶する画像データ（フレームごとの画像データ）を圧縮及び復号する圧縮部６４を備えている。
【００３３】
オーバードライブ処理部３７は、フレームレート変換処理部３６から出力された画像データに、制御部３１から供給される制御情報に基づいて、液晶パネルがオーバードライブ駆動されるように各画素の階調値を補正する画像処理（オーバードライブ処理）を実行する。このオーバードライブ処理は、液晶パネルがオーバードライブ駆動されるように各画素の階調値を補正することで、液晶パネルの応答遅延に起因した動画像の残像感を低減する。オーバードライブ処理部３７は、このオーバードライブ処理を実行した後、画像データを画像投写部１０に出力する。また、オーバードライブ処理部３７は、上述したように記憶部４０に一時記憶する画像データ（フレームごとの画像データ）を圧縮及び復号する圧縮部６５を備えている。
【００３４】
インターフェイス部３８は、画像処理装置３０の各部（制御部３１、リサイズ処理部３３、ＯＳＤ処理部３４、キーストーン補正処理部３５、フレームレート変換処理部３６、及びオーバードライブ処理部３７）と記憶部４０との間のデータアクセスを制御する。インターフェイス部３８は、例えば、画像処理装置３０の各部からのリクエスト信号に対してアクノリッジ信号を返すことにより、記憶部４０へのアクセスを許可する。
また、インターフェイス部３８は、アクセス量計測部７０、計測期間設定部８０、及び圧縮率決定部９０を備えている。
【００３５】
アクセス量計測部７０（計測部）は、画像データを記憶する記憶部４０へのアクセス量を計測する。ここでアクセス量とは、所定の期間における、（記憶部４０にアクセスしているクロック数）／（アクセス可能なクロック数）をパーセントで表したものであり、所定の期間において正常なアクセスが隙間なく詰まった状態が１００％に相当する。アクセス量計測部７０は、例えば、アクセスに使用されるクロック数をカウントすることにより、アクセス量を計測する。
なお、本実施形態では、アクセス量計測部７０は、図２に示すように、複数の期間のアクセス量を計測することが可能である。すなわち、アクセス量計測部７０は、範囲の異なる複数の期間に対してアクセス量を計測する。
【００３６】
図２は、本実施形態におけるアクセス量の計測期間の一例を示すタイムチャートである。
図２において、各波形は、上から順番に、クロック信号「ＣＬＫ」の電圧波形、垂直同期信号「ＶＳｙｎｃ１」の電圧波形、垂直同期信号「ＶＳｙｎｃ２」の電圧波形、及び水平同期信号「ＨＳｙｎｃ」の電圧波形を示している。なお、各波形の横軸は、時間を示している。
【００３７】
垂直同期信号「ＶＳｙｎｃ１」及び垂直同期信号「ＶＳｙｎｃ２」は、例えば上述した複数の画像処理部のうちのいずれかにおける垂直同期信号であり、垂直同期信号のＨ（ハイ）パルスが出力される間の期間に、１画面（１フレーム）分の画像データが、各画像処理部によって画像処理される。また、水平同期信号「ＨＳｙｎｃ」は、例えば上述した複数の画像処理部のうちのいずれかにおける水平同期信号であり、水平同期信号のＨ（ハイ）パルスが出力される間の期間に、水平の１ライン分の画像データが、各画像処理部によって画像処理される。各同期信号は、各画像処理部におけるフレーム周波数が異なることや、各画像処理部の遅延量が異なることから全ての画像処理部で測定区間が異なる場合がある。記憶部４０とのアクセス量が増大して、メモリー帯域が不足している場合に、各画像処理部は、この垂直同期信号又は水平同期信号の間の期間内（範囲内）に画像処理が完了しないことが考えられる。このような状態の場合に、プロジェクター装置１は正常に画像データを表示できないことがある。そこで、本実施形態では、圧縮率決定部９０がアクセス量に応じて、圧縮部６０の圧縮率を決定することにより、適切なメモリー帯域を確保する。
【００３８】
図２に示す例では、アクセス量計測部７０がアクセス量を計測する期間は、「ＶＳｙｎｃ１」に対応する期間Ｔ１、「ＶＳｙｎｃ２」に対応する期間Ｔ２、及び「ＨＳｙｎｃ」に対応する期間Ｔ３である。
なお、アクセス量計測部７０は、画像処理装置３０の各部とインターフェイス部３８との間のデータアクセスを計測してもよいし、インターフェイス部３８と記憶部４０との間のデータアクセスを計測してもよい。
【００３９】
計測期間設定部８０（設定部）は、アクセス量を計測する計測期間を設定する設定部であって、アクセス量計測部７０によって過去に測定されたアクセス量に基づいて、計測期間を設定する。計測期間設定部８０は、例えば、複数の期間のうちの最もアクセス量が多い期間を、計測期間として設定する。
【００４０】
圧縮率決定部９０（決定部）は、アクセス量計測部７０によって計測されたアクセス量に応じて、記憶部４０に記憶させる画像データの圧縮率を決定する。具体的に、圧縮率決定部９０は、アクセス量が予め定められた閾値以上の場合に、圧縮部６０の圧縮率を高い圧縮率（第１の圧縮率）に決定し、アクセス量が閾値未満の場合に、圧縮部６０の圧縮率を低い圧縮率（第１の圧縮率より低い第２の圧縮率）に決定する。例えば、アクセス量が８５％以上になった場合に、圧縮率決定部９０は、圧縮部６０の圧縮率を高い圧縮率に決定（変更）する。また、例えば、アクセス量が８５％未満になった場合に、圧縮率決定部９０は、圧縮部６０の圧縮率を低い圧縮率に決定（変更）する。
【００４１】
なお、圧縮部６０の圧縮率の変更は、例えば、画像データのビット数を変更するようなものでもよい。例えば、圧縮率決定部９０は、圧縮率を高くする場合に、１０ビットから８ビットに圧縮させてもよい。
また、圧縮率決定部９０は、圧縮率を変更する場合、予め定められた複数の圧縮率のうちから、所定の順序により１つを選択し、選択した圧縮率に変更してもよい。例えば、圧縮率決定部９０は、アクセス量が閾値以上になるごとに、徐々に高い圧縮率に変更し、アクセス量が閾値未満になるごとに、徐々に低い圧縮率に変更してもよい。
【００４２】
また、圧縮率決定部９０は、複数の画像処理部（リサイズ処理部３３、ＯＳＤ処理部３４、キーストーン補正処理部３５、フレームレート変換処理部３６、及びオーバードライブ処理部３７）のそれぞれが処理する画像データの圧縮率を、アクセス量に応じて決定してもよい。すなわち、圧縮率決定部９０は、アクセス量に応じて、各圧縮部６０の圧縮率を一括して決定してもよいし、アクセス量に応じて、各圧縮部６０の圧縮率を個別に決定してもよい。
【００４３】
次に、本実施形態における画像処理装置３０の動作について説明する。
図３は、本実施形態における圧縮率決定の処理の一例を示すフローチャートである。
この図において、まず、インターフェイス部３８のアクセス量計測部７０は、アクセス量の計測処理を行う（ステップＳ１０１）。ここでは、アクセス量計測部７０は、計測期間設定部８０による計測期間の設定を行うためのアクセス量も含めた複数の期間（例えば、図２の期間Ｔ１〜Ｔ３のような期間）のアクセス量を測定する。
【００４４】
次に、インターフェイス部３８の計測期間設定部８０は、計測期間の設定処理を実行する（ステップＳ１０２）。すなわち、計測期間設定部８０は、アクセス量計測部７０が計測した複数の期間におけるアクセス量に基づいて、計測期間を設定する。具体的に、計測期間設定部８０は、例えば、複数の期間におけるアクセス量のうちの最もアクセス量が多い期間を計測期間として設定し、この期間におけるアクセス量を圧縮率決定部９０に出力する。なお、計測期間設定部８０は、アクセス量ではなく設定した計測期間を示す情報を圧縮率決定部９０に出力するのでもよい。
【００４５】
次に、圧縮率決定部９０は、アクセス量が閾値Ｄ以上であるか否かを判定する（ステップＳ１０３）。すなわち、圧縮率決定部９０は、アクセス量計測部７０が計測したアクセス量であって、計測期間設定部８０が設定した計測期間におけるアクセス量と閾値Ｄとを比較し、このアクセス量が閾値Ｄ以上であるか否かを判定する。圧縮率決定部９０は、例えば、アクセス量が閾値Ｄ以上である場合（ステップＳ１０３：ＹＥＳ）に、処理をステップＳ１０４に進める。また、圧縮率決定部９０は、例えば、アクセス量が閾値Ｄ未満である場合（ステップＳ１０３：ＮＯ）に、処理をステップＳ１０５に進める。
【００４６】
ステップＳ１０４において、圧縮率決定部９０は、圧縮部６０の圧縮率を第１の圧縮率（高い圧縮率）に決定する。すなわち、圧縮率決定部９０は、各画像処理部（リサイズ処理部３３、ＯＳＤ処理部３４、キーストーン補正処理部３５、フレームレート変換処理部３６、及びオーバードライブ処理部３７）の圧縮部６０に対して高い圧縮率で圧縮させる指示を行う。例えば、第１の圧縮率（高い圧縮率）と、第１の圧縮率よりも圧縮率の低い第２の圧縮率（低い圧縮率）との２つの圧縮率が予め設定されている場合、圧縮率決定部９０は、ここではアクセス量が閾値Ｄ以上であるので、第１の圧縮率に決定する。このステップＳ１０４の処理の後、画像処理装置３０は、処理をステップＳ１０１に戻す。
【００４７】
また、ステップＳ１０５において、圧縮率決定部９０は、圧縮部６０の圧縮率を第２の圧縮率（低い圧縮率）に決定する。すなわち、圧縮率決定部９０は、各画像処理部（リサイズ処理部３３、ＯＳＤ処理部３４、キーストーン補正処理部３５、フレームレート変換処理部３６、及びオーバードライブ処理部３７）の圧縮部６０に対して低い圧縮率で圧縮させる指示を行う。圧縮率決定部９０は、ここではアクセス量が閾値Ｄ未満であるので、例えば、第１の圧縮率よりも圧縮率の低い第２の圧縮率に決定する。このステップＳ１０５の処理の後、画像処理装置３０は、処理をステップＳ１０１に戻す。
このように、画像処理装置３０は、ステップＳ１０１〜ステップＳ１０５の処理を繰り返し実行し、記憶部４０へのアクセス量をメモリー帯域が不足しないように制御する。
【００４８】
なお、図３に示す上述の一例では、１つの閾値を適用する場合について説明しているが、複数の閾値（多段階の閾値）を適用してもよい。例えば、最大の閾値を８５％、最少の閾値を４０％、中間の閾値を６０％と予め定める。このような設定において、圧縮率決定部９０は、例えば、アクセス量が８５％以上である場合に、最大の圧縮率に決定し、アクセス量が４０％以下である場合に、無圧縮のように決定する。また、圧縮率決定部９０は、例えば、アクセス量が４０％〜８５％の範囲である場合に、最大の圧縮率より低い所定の圧縮率に決定する。すなわち、圧縮率決定部９０は、圧縮率を決定する場合、アクセス量の範囲に応じて予め定められた圧縮率に決定（変更）してもよい。
このように、複数の閾値（多段階の閾値）を適用した場合、細かく圧縮率を変更できるようになるため、圧縮率が変更したことによる画質の変化（例えば、明るさ、色などの変化）を使用者が気付かないように、画面の変化を低減することができる。
【００４９】
また、上述の一例では、圧縮率決定部９０が、アクセス量に応じて、圧縮率を第１の圧縮率（高い圧縮率）と第２の圧縮率（低い圧縮率）とのいずれかに決定する例を説明したが、第２の圧縮率（低い圧縮率）には、無圧縮を含めてもよい。すなわち、圧縮率決定部９０は、アクセス量に応じて、圧縮するか否か（所定の圧縮率と無圧縮とのいずれか）を決定してもよい。
【００５０】
以上説明したように、本実施形態における画像処理装置３０は、アクセス量計測部７０と、圧縮率決定部９０とを備えている。アクセス量計測部７０は、画像データを記憶する記憶部４０へのアクセス量を計測し、圧縮率決定部９０は、アクセス量計測部７０によって計測されたアクセス量に応じて、記憶部４０に記憶させる画像データの圧縮率を決定する。そして、圧縮部６０は、圧縮率決定部９０で決定された圧縮率で画像データを圧縮する。
これにより、本実施形態における画像処理装置３０は、記憶部４０へのアクセス量に応じて適切な圧縮率に決定することができるので、記憶部４０へのアクセス量を適切に制御することができる。よって、本実施形態における画像処理装置３０は、適切に画像処理を実行することができる。
【００５１】
また、本実施形態では、圧縮率決定部９０は、アクセス量が予め定められた閾値以上の場合に、第１の圧縮率（高い圧縮率）に決定し、アクセス量が閾値未満の場合に、第１の圧縮率より低い第２の圧縮率（低い圧縮率）に決定する。
これにより、本実施形態における画像処理装置３０は、記憶部４０へアクセス量が上昇した場合に、アクセス量を低減するように、第２の圧縮率よりも高い第１の圧縮率に決定することにより圧縮部６０の圧縮率を増加させる。そのため、本実施形態における画像処理装置３０は、例えば、キャッシュメモリーにおけるミスキャッシュが発生した場合などのように、記憶部４０へのアクセス量が増大した場合であっても、安全にメモリー帯域を確保することができる。よって、本実施形態における画像処理装置３０は、正常に画像処理を実行することができる。また、本実施形態における画像処理装置３０は、記憶部４０へアクセス量が低下した場合に、画像データの画質を向上させるように、第１の圧縮率よりも低い第２の圧縮率に決定することにより圧縮部６０の圧縮率を減少させる。そのため、本実施形態における画像処理装置３０は、必要以上に画質を低下させることながく、適切な画質の画像データを得ることができる。したがって、本実施形態における画像処理装置３０は、正常に、且つ適切な画質により画像処理を実行することができる。
【００５２】
また、本実施形態における画像処理装置３０は、圧縮率決定部９０に供給するアクセス量を計測する計測期間を設定する設定部であって、アクセス量計測部７０によって過去に測定されたアクセス量に基づいて、計測期間を設定する計測期間設定部８０を備えている。
これにより、本実施形態における画像処理装置３０は、圧縮率の決定の判定に用いるアクセス量を計測する計測期間を、過去に測定されたアクセス量に基づいて、適切に設定することができる。そのため、圧縮率決定部９０は、アクセス量の変動を正確に検出するこができる。よって、本実施形態における画像処理装置３０は、アクセス量に応じて、適切に圧縮率を決定することができる。
【００５３】
また、本実施形態では、アクセス量計測部７０は、範囲の異なる複数の期間に対してアクセス量を計測し、計測期間設定部８０は、複数の期間のうちの最もアクセス量が多い期間を、計測期間として設定する。
これにより、圧縮率決定部９０は、最もアクセス量が多い計測期間に基づいてアクセス量を検出するので、アクセス量の増加を正確に検出するこができる。すなわち、例えば、局所的にアクセス量が増大したような場合であっても、圧縮率決定部９０は、適切に圧縮率を決定することができる。
【００５４】
また、本実施形態における画像処理装置３０は、異なる画像処理を実行する複数の画像処理部（例えば、リサイズ処理部３３、ＯＳＤ処理部３４、キーストーン補正処理部３５、フレームレート変換処理部３６、及びオーバードライブ処理部３７）を備えている。圧縮率決定部９０は、この複数の画像処理部のそれぞれが処理する画像データの圧縮率を、アクセス量に応じて決定する。
これにより、画像処理部ごとに適切に圧縮率を決定することができるので、本実施形態における画像処理装置３０は、正常に、且つ適切な画質により画像処理を実行することができる。
【００５５】
また、本実施形態では、圧縮率を決定するための閾値は、互いに値の異なる複数の閾値を含み、圧縮率決定部９０は、アクセス量と複数の閾値とに基づいて、圧縮率を決定する。
これにより、本実施形態における画像処理装置３０は、圧縮率の変化量を小さくして圧縮率を変更できるようになるため、画面を見ている使用者が気付かないように、圧縮率が変更したことによる画質の変化（例えば、明るさ、色などの変化）を低減することができる。
【００５６】
また、本実施形態によれば、プロジェクター装置１（表示装置）は、上述した画像処理装置３０を備え、当該画像処理装置３０で画像処理がなされた画像データに基づいて画像を表示する。
そのため、プロジェクター装置１は、画像処理装置３０と同様の効果を奏する。
【００５７】
次に、本発明に係る第２の実施形態について、図面を参照して説明する。
［第２の実施形態］
第２の実施形態におけるプロジェクター装置１及び画像処理装置３０の構成は、図１に示す第１の実施形態と同様であるので、ここではその説明を省略する。
本実施形態では、圧縮率決定部９０による圧縮率決定の処理が第１の実施形態と異なる。以下、本実施形態における圧縮率決定の処理について説明する。
【００５８】
本実施形態における圧縮率決定部９０は、例えば、アクセス量が所定の回数連続して閾値未満になった場合に、圧縮率を第２の圧縮率（低い圧縮率）に決定する。また、圧縮率決定部９０は、例えば、アクセス量が所定の回数連続して閾値以上になった場合に、圧縮率を第１の圧縮率（高い圧縮率）に決定する。このように、圧縮率決定部９０は、アクセス量計測部７０によって計測された所定の回数分のアクセス量と閾値とに基づいて、圧縮率を決定する。このように制御することで、圧縮率決定部９０は、閾値を挟んでアクセス量が変動することにより、一定周期により圧縮率が変化し、画質（明るさや色など）が周期的に変化するような異常な状態を低減することができる。
【００５９】
図４は、本実施形態における圧縮率決定の処理の一例を示すフローチャートである。
この図において、まず、画像処理装置３０は、内部の変数ＨＮ、及び変数ＬＮに“０”を代入する（ステップＳ２０１）。なお、変数ＨＮは、アクセス量が連続して閾値以上になった回数（カウント値）を示しており、変数ＬＮは、アクセス量が連続して閾値未満になった回数（カウント値）を示している。変数ＨＮ、及び変数ＬＮは、不図示の記憶装置に記憶されてもよいし、画像処理装置３０に備えられたレジスタ回路やカウンタ回路などにより記憶されてもよい。
【００６０】
次に、インターフェイス部３８のアクセス量計測部７０は、アクセス量の計測処理を行う（ステップＳ２０２）。また、インターフェイス部３８の計測期間設定部８０は、計測期間の設定処理を実行する（ステップＳ２０３）。
ここでのステップＳ２０２及びステップＳ２０３の処理は、上述した図３に示されるステップＳ１０１及びステップＳ１０２の処理と同様である。
【００６１】
次に、圧縮率決定部９０は、アクセス量が閾値Ｄ以上であるか否かを判定する（ステップＳ２０４）。すなわち、圧縮率決定部９０は、アクセス量計測部７０が計測したアクセス量であって、計測期間設定部８０が設定した計測期間におけるアクセス量と閾値Ｄとを比較し、このアクセス量が閾値Ｄ以上であるか否かを判定する。圧縮率決定部９０は、例えば、アクセス量が閾値Ｄ以上である場合（ステップＳ２０４：ＹＥＳ）に、処理をステップＳ２０８に進める。また、圧縮率決定部９０は、例えば、アクセス量が閾値Ｄ未満である場合（ステップＳ２０４：ＮＯ）に、処理をステップＳ２０５に進める。
【００６２】
次に、ステップＳ２０５において、圧縮率決定部９０は、変数ＬＮの値が所定の回数以上であるか否かを判定する。すなわち、圧縮率決定部９０は、アクセス量が所定の回数連続して閾値未満になったか否かを判定する。圧縮率決定部９０は、例えば、変数ＬＮの値が所定の回数以上である場合（ステップＳ２０５：ＹＥＳ）に、処理をステップＳ２０６に進める。また、圧縮率決定部９０は、例えば、変数ＬＮの値が所定の回数未満である場合（ステップＳ２０５：ＮＯ）に、処理をステップＳ２０７に進める。
【００６３】
次に、ステップＳ２０６において、圧縮率決定部９０は、圧縮部６０の圧縮率を第２の圧縮率（低い圧縮率）に決定する。すなわち、圧縮率決定部９０は、各画像処理部（リサイズ処理部３３、ＯＳＤ処理部３４、キーストーン補正処理部３５、フレームレート変換処理部３６、及びオーバードライブ処理部３７）の圧縮部６０に対して低い圧縮率で圧縮させる指示を行う。このステップＳ２０６の処理の後、画像処理装置３０は、処理をステップＳ２０２に戻す。
【００６４】
また、ステップＳ２０７において、圧縮率決定部９０は、変数ＨＮに“０”を代入し、変数ＬＮに“１”を加算する。このステップＳ２０７の処理の後、画像処理装置３０は、処理をステップＳ２０２に戻す。
【００６５】
一方で、ステップＳ２０８において、圧縮率決定部９０は、変数ＨＮの値が所定の回数以上であるか否かを判定する。すなわち、圧縮率決定部９０は、アクセス量が所定の回数連続して閾値以上になったか否かを判定する。圧縮率決定部９０は、例えば、変数ＨＮの値が所定の回数以上である場合（ステップＳ２０８：ＹＥＳ）に、処理をステップＳ２０９に進める。また、圧縮率決定部９０は、例えば、変数ＨＮの値が所定の回数未満である場合（ステップＳ２０８：ＮＯ）に、処理をステップＳ２１０に進める。
【００６６】
次に、ステップＳ２０９において、圧縮率決定部９０は、圧縮部６０の圧縮率を第１の圧縮率（高い圧縮率）に決定する。すなわち、圧縮率決定部９０は、各画像処理部（リサイズ処理部３３、ＯＳＤ処理部３４、キーストーン補正処理部３５、フレームレート変換処理部３６、及びオーバードライブ処理部３７）の圧縮部６０に対して高い圧縮率で圧縮させる指示を行う。このステップＳ２０９の処理の後、画像処理装置３０は、処理をステップＳ２０２に戻す。
【００６７】
また、ステップＳ２１０において、圧縮率決定部９０は、変数ＬＮに“０”を代入し、変数ＨＮに“１”を加算する。このステップＳ２１０の処理の後、画像処理装置３０は、処理をステップＳ２０２に戻す。
【００６８】
以上説明したように、本実施形態では、圧縮率決定部９０は、アクセス量計測部７０によって計測された所定の回数分のアクセス量と閾値とに基づいて、圧縮率を決定する。
これにより、本実施形態における画像処理装置３０は、所定の回数分のアクセス量に基づいて圧縮率を決定するので、圧縮率を変更する間隔を少なくとも所定の期間に設定することができる。そのため、本実施形態における画像処理装置３０は、例えば、閾値を挟んでアクセス量が変動することにより、一定周期で圧縮率が変化し、画質（明るさや色など）が周期的に変化するような異常な状態を低減することができる。
【００６９】
また、本実施形態では、圧縮率決定部９０は、アクセス量が所定の回数連続して閾値未満の場合に、圧縮率を第２の圧縮率に決定する。
これにより、本実施形態における画像処理装置３０は、所定の期間、高い圧縮率を維持することができる。そのため、本実施形態における画像処理装置３０は、例えば、圧縮率を高い圧縮率に変更したことによりアクセス量が低下して、高い圧縮率に変更した直後に、すぐに圧縮率が低い圧縮率に変更されて再びアクセス量が増加するような現象を低減することができる。よって、本実施形態における画像処理装置３０は、正常に、且つ適切な画質により画像処理を実行することができる。
【００７０】
なお、図４に示す一例では、ステップＳ２０８の処理により、圧縮率を増加させる場合にも所定の回数連続して閾値Ｄ以上になったか否かを判定しているが、本実施形態において、このステップＳ２０８及びステップＳ２１０の処理は省略されてもよい。この場合、ミスキャッシュが発生した際などのように、急にアクセス量が増加した場合においても短期間に、圧縮率を増加させることができるので、本実施形態における画像処理装置３０は、正常に画像処理を実行することができる。
【００７１】
次に、本発明に係る第３の実施形態について、図面を参照して説明する。
［第３の実施形態］
第３の実施形態におけるプロジェクター装置１及び画像処理装置３０の構成は、図１に示す第１の実施形態と同様であるので、ここではその説明を省略する。
本実施形態では、圧縮率決定部９０による圧縮率決定の処理が第１及び第２の実施形態と異なる。以下、本実施形態における圧縮率決定の処理について説明する。
【００７２】
本実施形態では、圧縮率を決定するための閾値は、閾値ＤＨ（第１閾値）と、閾値ＤＨ（第１閾値）よりも値が小さい閾値ＤＬ（第２閾値）とを含んでいる。そして、圧縮率決定部９０は、アクセス量が閾値ＤＨ以上になった場合に、圧縮率を第１の圧縮率（高い圧縮率）に決定し、アクセス量が閾値ＤＬ未満になった場合に、圧縮率を第２の圧縮率（低い圧縮率）に決定する。
すなわち、本実施形態では、図３に示す第１の実施形態における閾値Ｄを、圧縮率の増加用の閾値ＤＨと、圧縮率の減少用の閾値ＤＬとに分けた点が、第１の実施形態とは異なる。
【００７３】
図５は、本実施形態における圧縮率決定の処理の一例を示すフローチャートである。
この図において、まず、インターフェイス部３８のアクセス量計測部７０は、アクセス量の計測処理を行う（ステップＳ３０１）。また、インターフェイス部３８の計測期間設定部８０は、計測期間の設定処理を実行する（ステップＳ３０２）。
ここでのステップＳ３０１及びステップＳ３０２の処理は、上述した図３に示されるステップＳ１０１及びステップＳ１０２の処理と同様である。
【００７４】
次に、圧縮率決定部９０は、アクセス量が閾値ＤＨ以上であるか否かを判定する（ステップＳ３０３）。すなわち、圧縮率決定部９０は、アクセス量計測部７０が計測したアクセス量であって、計測期間設定部８０が設定した計測期間におけるアクセス量と閾値ＤＨとを比較し、このアクセス量が閾値ＤＨ以上であるか否かを判定する。圧縮率決定部９０は、例えば、アクセス量が閾値ＤＨ以上である場合（ステップＳ３０３：ＹＥＳ）に、処理をステップＳ３０４に進める。また、圧縮率決定部９０は、例えば、アクセス量が閾値Ｄ未満である場合（ステップＳ３０３：ＮＯ）に、処理をステップＳ３０５に進める。
【００７５】
次に、ステップＳ３０４において、圧縮率決定部９０は、圧縮部６０の圧縮率を第１の圧縮率（高い圧縮率）に決定する。このステップＳ３０４の処理の後、画像処理装置３０は、処理をステップＳ３０１に戻す。
【００７６】
一方で、ステップＳ３０５において、圧縮率決定部９０は、アクセス量が閾値ＤＬ未満であるか否かを判定する。すなわち、圧縮率決定部９０は、アクセス量計測部７０が計測したアクセス量であって、計測期間設定部８０が設定した計測期間におけるアクセス量と閾値ＤＬとを比較し、このアクセス量が閾値ＤＬ未満であるか否かを判定する。圧縮率決定部９０は、例えば、アクセス量が閾値ＤＬ未満である場合（ステップＳ３０５：ＹＥＳ）に、処理をステップＳ３０６に進める。また、圧縮率決定部９０は、例えば、アクセス量が閾値ＤＬ以上である場合（ステップＳ３０５：ＮＯ）に、処理をステップＳ３０１に戻す。
【００７７】
次に、ステップＳ３０６において、圧縮率決定部９０は、圧縮部６０の圧縮率を第２の圧縮率（低い圧縮率）に決定する。このステップＳ３０６の処理の後、画像処理装置３０は、処理をステップＳ３０１に戻す。
【００７８】
以上説明したように、本実施形態では、圧縮率を決定するための閾値は、閾値ＤＨ（第１閾値）と、閾値ＤＨよりも値が小さい閾値ＤＬとを含んでいる。そして、圧縮率決定部９０は、アクセス量が閾値ＤＨ以上の場合に、圧縮率を第１の圧縮率（高い圧縮率）に決定し、アクセス量が閾値ＤＬ未満の場合に、圧縮率を第２の圧縮率（低い圧縮率）に決定する。
これにより、本実施形態における画像処理装置３０は、第２の実施形態と同様に、例えば、閾値を挟んでアクセス量が変動することにより、一定周期で圧縮率が変化し、画質（明るさや色など）が周期的に変化するような異常な状態を低減することができる。また、本実施形態における画像処理装置３０は、第２の実施形態のように、アクセス量の増大又は減少を検出する際に、所定の回数分のアクセス量の計測を必要としない。そのため、本実施形態における画像処理装置３０は、第２の実施形態に比べて、短期間に圧縮率を決定することができる。
【００７９】
また、本実施形態における画像処理装置３０は、閾値を圧縮率の増加用の閾値ＤＨと圧縮率の減少用の閾値ＤＬとに分けたので、高い圧縮率、又は低い圧縮率を適切に維持することができる。そのため、本実施形態における画像処理装置３０は、例えば、圧縮率を増加したことによりアクセス量が低下して、高い圧縮率に変更した直後に、すぐに圧縮率が低い圧縮率に変更されて再びアクセス量が増加するような現象を低減することができる。よって、本実施形態における画像処理装置３０は、第２の実施形態と同様に、正常に、且つ適切な画質により画像処理を実行することができる。
【００８０】
次に、本発明に係る第４の実施形態について、図面を参照して説明する。
［第４の実施形態］
図６は、第４の実施形態による表示装置（プロジェクター装置１）の一例を示すブロック図である。
なお、この図において、図１と同一の構成については同一の符号を付し、その説明を省略する。
【００８１】
本実施形態では、各画像処理部（リサイズ処理部３３、ＯＳＤ処理部３４、キーストーン補正処理部３５、フレームレート変換処理部３６、及びオーバードライブ処理部３７）が圧縮部６０を備える代わりに、インターフェイス部３８が圧縮部６０を備える点を除いて、第１〜第３の実施形態と同様である。
すなわち、本実施形態におけるインターフェイス部３８は、圧縮部６０を備え、圧縮部６０は、記憶部４０との間で画像データを転送する際に、圧縮率決定部９０によって設定された圧縮率により画像データを圧縮する。
このような構成においても、圧縮率決定部９０は、第１〜第３の実施形態と同様に、記憶部４０へのアクセス量に応じて、適切に圧縮率を決定することができる。よって、本実施形態における画像処理装置３０及びプロジェクター装置１は、第１〜第３の実施形態と同様の効果を奏する。
【００８２】
次に、本発明に係る第５の実施形態について、図面を参照して説明する。
［第５の実施形態］
図７は、第５の実施形態による表示装置（プロジェクター装置１）の一例を示すブロック図である。
なお、この図において、図１及び図６と同一の構成については同一の符号を付し、その説明を省略する。
【００８３】
本実施形態では、インターフェイス部３８が圧縮率決定部９０を備える代わりに、制御部３１が圧縮率決定部９０を備える点を除いて、第１〜第３の実施形態と同様である。この場合、制御部３１が備える圧縮率決定部９０が、各画像処理部（リサイズ処理部３３、ＯＳＤ処理部３４、キーストーン補正処理部３５、フレームレート変換処理部３６、及びオーバードライブ処理部３７）の圧縮部６０に対して圧縮率を変更させる。
このように構成しても、圧縮率決定部９０は、記憶部４０へのアクセス量に応じて、適切に圧縮率を決定することができる。よって、本実施形態における画像処理装置３０及びプロジェクター装置１は、第１〜第３の実施形態と同様の効果を奏する。
【００８４】
なお、本実施形態では、アクセス量と閾値との比較をインターフェイス部３８が行い、インターフェイス部３８が制御部３１に対して、圧縮率を変更するための割り込み信号を出力してもよい。この場合、制御部３１の圧縮率決定部９０は、割り込み処理として、各画像処理部（リサイズ処理部３３、ＯＳＤ処理部３４、キーストーン補正処理部３５、フレームレート変換処理部３６、及びオーバードライブ処理部３７）の圧縮部６０に対して圧縮率を変更させる。
【００８５】
なお、本発明は、上記の各実施形態に限定されるものではなく、本発明の趣旨を逸脱しない範囲で変更可能である。
例えば、上記の各実施形態は、それぞれ単独で実施する形態を説明したが、各実施形態を組み合わせて実施してもよい。
【００８６】
また、上記の各実施形態において、画像処理装置３０は、画像処理部として、リサイズ処理部３３、ＯＳＤ処理部３４、キーストーン補正処理部３５、フレームレート変換処理部３６、及びオーバードライブ処理部３７を備える場合の一例を説明したが、画像処理部はこれに限定されるものではない。画像処理装置３０は、画像処理部として、上記の画像処理部のうちの一部を備えてもよいし、他の画像処理部を備えてもよい。
【００８７】
また、上記の各実施形態において、表示装置の一例として、プロジェクター装置１に画像処理装置３０を適用する場合について説明したが、これに限定されるものではない。例えば、表示装置として、液晶ディスプレイ装置などのディスプレイ装置に適用してもよいし、他の表示装置に適用してもよい。
【００８８】
また、上記の各実施形態において、画像処理装置３０は、計測期間設定部８０を備える形態を説明したが、計測期間設定部８０を備えずに、予め定められた所定の計測期間において、アクセス量計測部７０がアクセス量を計測する形態であってもよい。
また、上記の各実施形態において、計測期間設定部８０は、最もアクセス量が多い期間を、計測期間として設定する場合について説明したが、これに限定されるものではない。例えば、計測期間設定部８０は、アクセス量のピーク値が最も高い期間を、計測期間として設定してもよいし、所定の回数によるアクセス量の平均値が最も高い期間を、計測期間として設定してもよい。
【００８９】
また、上記の各実施形態における画像処理装置３０及び画像処理装置３０が備える各部は、専用のハードウェア（例えば、集積回路）により実現されるものであってもよく、また、画像処理装置３０及び画像処理装置３０が備える各部はメモリーおよびＣＰＵにより構成され、画像処理装置３０及び画像処理装置３０が備える各部の機能を実現するためのプログラムをメモリーにロードして実行することによりその機能を実現させるものであってもよい。
また、上述の画像処理装置３０は内部に、コンピューターシステムを有している。そして、上述した画像処理装置３０の処理過程（処理手順）は、プログラムの形式でコンピューター読み取り可能な記録媒体に記憶されており、このプログラムをコンピューターが読み出して実行することによって、上記処理が行われてもよい。
【００９０】
また、画像処理装置３０及び画像処理装置３０が備える各部の機能を実現するためのプログラムをコンピューター読み取り可能な記録媒体に記録して、この記録媒体に記録されたプログラムをコンピューターシステムに読み込ませ、実行することにより、画像処理装置３０及び画像処理装置３０が備える各部による処理を行ってもよい。なお、ここでいう「コンピューターシステム」とは、ＯＳや周辺機器等のハードウェアを含むものとする。
【００９１】
また、「コンピューター読み取り可能な記録媒体」とは、フレキシブルディスク、光磁気ディスク、ＲＯＭ、ＣＤ−ＲＯＭ等の可搬媒体、コンピューターシステムに内蔵されるハードディスク等の記憶装置のことをいう。さらに「コンピューター読み取り可能な記録媒体」とは、インターネット等のネットワークや電話回線等の通信回線を介してプログラムを送信する場合の通信線のように、短時間の間、動的にプログラムを保持するもの、その場合のサーバーやクライアントとなるコンピューターシステム内部の揮発性メモリーのように、一定時間プログラムを保持しているものも含むものとする。また上記プログラムは、前述した機能の一部を実現するためのものであってもよく、さらに前述した機能をコンピューターシステムにすでに記録されているプログラムとの組み合わせで実現できるものであってもよい。
【符号の説明】
【００９２】
１  プロジェクター装置
１０  画像投写部
２０  画像信号入力部
３０  画像処理装置
３１  制御部
３２  入力信号判定部
３３  リサイズ処理部
３４  ＯＳＤ処理部
３５  キーストーン補正処理部
３６  フレームレート変換処理部
３７  オーバードライブ処理部
３８  インターフェイス部
４０  記憶部
５０  入力操作部
６０、６１、６２、６３、６４、６５  圧縮部
７０  アクセス量計測部
８０  計測期間設定部
９０  圧縮率決定部
【図１】
2014165791.tif 000003
【図２】
2014165791.tif 000004
【図３】
2014165791.tif 000005
【図４】
2014165791.tif 000006
【図５】
2014165791.tif 000007
【図６】
2014165791.tif 000008
【図７】
2014165791.tif 000009